(57)【要約】【課題】簡単に短時間で、かごの補強をすることができるかご補強材を提供する。【解決手段】かごマット工などにおいて、かごの中に石材を詰める際に、かごを補強するために用いるものであり、かご本体の上に配置される矩形状の枠１１と、この枠１１の対向する一対の辺１１Ａ，１１Ｂをそれぞれの中央部において結ぶ棒状の補強部１２とを備える。枠１１および補強部１２は、めっき加工した鉄筋によりそれぞれ構成されている。また、枠１１には、外側に向かって突出して設けられ、隣接して配置する他の枠１１を係止する係止部１３が設けられている。【選択図】図１
0003160069.tif 000002
【実用新案登録請求の範囲】
【請求項１】
かごの中に石材を詰める際にかごを補強するかご補強材であって、
かご本体の大きさに合わせて形成され、かご本体の上に配置される矩形状の枠と、
この枠の対向する一対の辺をそれぞれの中央部において結ぶ棒状の補強部と、
前記枠から外側に向かって突出して設けられ、隣接して配置する他の枠を係止する係止部と
を備えたことを特徴とするかご補強材。
【請求項２】
棒の両端に取付部が配設され、この取付部において、前記枠の対向する他の一対の辺に対して着脱可能に取り付けられる補助部材を備えたことを特徴とする請求項１記載のかご補強材。
【請求項３】
かご本体の前面を外側から覆う板状部材を備え、この板状部材は上部に設けられた取付部において前記枠に固定されることを特徴とする請求項１または請求項２記載のかご補強材。
【考案の詳細な説明】
【技術分野】
【０００１】
本考案は、かごマット工などでかごの中に石材を詰める際に、かごを補強するかご補強材に関する。
【背景技術】
【０００２】
かごマット工は、マット状に連続したかごの中に石材を詰める工法であり、護岸工、多自然型護岸工、または法覆護岸工などで広く用いられている。かごは、例えば、河川での耐久性に優れた亜鉛アルミニウム合金めっき鉄線で形成された金網により構成されており、網目の大きさは、一般的に、６５ｍｍから１００ｍｍ程度である。中に詰める石材としては、主に玉石、栗石、割石などの自然石が用いられるが、コンクリート殻などの人工物でもよい。
【０００３】
このかごマット工では、かごの中に石材を詰める際に、かごが変形しやすい。そこで、従来は、かごを据付たのち、かごの上に単管パイプを固定して補強していた。しかしながら、この手法では、単管パイプを固定するのに手間と時間がかかり、また、石材を詰めた後に単管パイプを取り除くのにも手間と時間がかかっていた。そこで、もっと簡単にかごを補強する手法の開発が望まれていた。
【０００４】
なお、特許文献１には、かごの中に石材を詰める際にかごの内側に配置する器具として、かごの内側全体を実質的に占め、かつ、上下が開放した枠体が記載されている。しかし、この器具は、かごの内側に配置するので、石材を詰めた後に抜き取る作業が大変であり、また、大きさも大きく、重いので、もっと簡便に用いることができる器具が求められていた。
【先行技術文献】
【特許文献】
【０００５】
【特許文献１】特開２００７−７０８３６号公報
【考案の概要】
【考案が解決しようとする課題】
【０００６】
本考案は、このような問題に基づきなされたものであり、簡単に短時間で、かごの補強をすることができるかご補強材を提供することを目的とする。
【課題を解決するための手段】
【０００７】
本考案のかご補強材は、かごの中に石材を詰める際にかごを補強するものであって、かご本体の大きさに合わせて形成され、かご本体の上に配置される矩形状の枠と、この枠の対向する一対の辺をそれぞれの中央部において結ぶ棒状の補強部と、前記枠から外側に向かって突出して設けられ、隣接して配置する他の枠を係止する係止部とを備えたものである。
【考案の効果】
【０００８】
本考案のかご補強材によれば、かご本体の上に配置される矩形状の枠を備えるようにしたので、かご本体の上に配置するだけで簡単にかごを補強することができ、また、石材を詰めた後は、簡単に撤去することができる。更に、枠の対向する一対の辺を中央部において補強部により結ぶようにしたので、枠の撓みを抑制し、強度を向上させることができる。加えて、枠から外側に向かって突出するように、隣接して配置する他の枠を係止する係止部を設けるようにしたので、隣接するかごの上に、次の枠を連続して順に配置することができる。よって、作業効率を向上させることができる。
【０００９】
また、棒の両端に取付部が配設され、この取付部において、枠の対向する他の一対の辺に対して着脱可能に取り付けられる補助部材を備えるようにすれば、枠の撓みをより抑制し、強度をより向上させることができる。
【図面の簡単な説明】
【００１０】
【図１】本考案の第１の実施の形態に係るかご補強材の構成を表す図である。
【図２】図１に示したかご補強材をかご本体の上に配置した状態を表す図である。
【図３】本考案の第１の実施の形態に係るかご補強材の他の構成を表す図である。
【考案を実施するための形態】
【００１１】
以下、本考案の実施の形態について、図面を参照して詳細に説明する。
【００１２】
図１は、本考案の一実施の形態に係るかご補強材１０の構成を表すものであり、（Ａ）は全体の構成を表し、（Ｂ）はＩ−Ｉ線に沿った断面構造を表し、（Ｃ）はＩＩ−ＩＩ線に沿った断面構造を表している。図２は、図１に示したかご補強材１０をかご本体２１の上に配置した状態を表す図である。図３は、図１に示したかご補強材の他の構成例を表すものである。
【００１３】
このかご補強材１０は、かごマット工などにおいて、かご２０の中に石材を詰める際に、かご２０を補強するために用いるものである。このかご補強材１０は、かご本体２１の上に配置される矩形状の枠１１と、この枠１１の対向する一対の辺１１Ａ，１１Ｂをそれぞれの中央部において結ぶ棒状の補強部１２とを備えている。枠１１は、例えば、めっき加工した鉄筋を折り曲げたりまたは溶接することにより構成されており、かご本体２１の大きさに合わせて形成されている。補強部１２は、例えば、枠１１と同様に、めっき加工した鉄筋により構成されており、枠１１に対して溶接により固定されている。
【００１４】
かご補強材１０は、また、枠１１から外側に向かって突出して設けられ、隣接して配置する他の枠１１を係止する係止部１３を備えている。係止部１３は、例えば、鋼材により構成されている。係止部１３は、例えば、Ｌ字状に構成されており、枠１１から外側に向かって突出された載置部１３Ａと、載置部１３Ａから他の枠１１を載置する方に折り曲げられた折曲部１３Ｂとを有している。なお、係止部１３は、例えば、枠１１の一辺、または隣接する２辺に設けることが好ましく、一辺における個数は１個でもよいが、２個以上とすることが好ましい。
【００１５】
かご補強材１０は、更に、棒１４Ａの両端に取付部１４Ｂがそれぞれ配設された補助部材１４を備えていてもよい。この補助部材１４は、取付部１４Ｂにおいて、枠１１の対向する他の一対の辺１１Ｃ，１１Ｄに対して着脱可能に取り付けられるものである。枠１１の大きさが大きくなると、撓む場合があるからである。棒１４Ａは、例えば、枠１１と同様に、めっき加工した鉄筋により構成されている。取付部１４Ｂには、例えば、枠１１を開放端１４Ｃから挿入する挿入部１４Ｄが設けられている。取付部１４Ｂの開放端１４Ｃの側には、例えば、対向する位置に貫通孔１４Ｅがそれぞれ設けられており、ボルト１４Ｆを挿入してナット１４Ｇで止めることにより、開放端１４Ｃを閉鎖して枠１１に固定することができるようになっている。
【００１６】
かご補強材１０は、加えて、例えば図３に示したように、かご本体２１の前面を外側から覆う板状部材１５を備えていてもよい。板状部材１５は、例えば、多段積み工法において、石材を詰める際に、かご本体２１の前面側を補強するためのものである。板状部材１５は、例えば、鉄骨板により構成されており、上部に、開口が設けられた取付部１５Ａが形成されており、枠１１に対し結束部材により結束して固定することができるようになっている。また、図示しないが、板状部材１５のかご本体２１と接触する側には、保護シートを設けるようにしてもよい。
【００１７】
このかご補強材１０は、例えば、次のようにして用いることができる。まず、護岸工などの現場において、かご本体２１を組み立てて据え付けたのち、１つのかご本体２１の上に、１つのかご補強材１０を載せ、必要に応じて結束部材により固定する。次いで、このかご補強材１０の係止部１３に、次のかご補強材１０の枠１１を係止させて、隣のかご本体２１の上に次のかご補強材１０を載せ、必要に応じて結束部材により固定する。これを繰り返すことにより、かご補強材１０を順に配置する。そののち、例えば、多段積みをする場合には、かご本体２１の前面に、板状部材１５を配置し、枠１１に対して結束部材により結束して固定する。続いて、かご本体２１の中に石材を詰めたのち、かご補強材１０を撤去する。そののち、かご本体２１の上には、図示しないが蓋網を配置する。
【００１８】
このように本実施の形態によれば、かご本体２１の上に配置される矩形状の枠１１を備えるようにしたので、かご本体２１の上に配置するだけで簡単にかごを補強することができ、また、石材を詰めた後は、簡単に撤去することができる。更に、枠１１の対向する一対の辺１１Ａ，１１Ｂを中央部において補強部１２により結ぶようにしたので、枠１１の撓みを抑制し、強度を向上させることができる。加えて、枠１１から外側に向かって突出するように、隣接して配置する他の枠１１を係止する係止部１３を設けるようにしたので、隣接するかご本体２１の上に、次の枠１１を連続して順に配置することができる。よって、作業効率を向上させることができる。
【００１９】
また、棒１４Ａの両端に取付部１４Ｂが配設され、この取付部１４Ｂにおいて、枠１１の対向する他の一対の辺１１Ｃ，１１Ｄに対して着脱可能に取り付けられる補助部材１４を備えるようにすれば、枠１１の撓みをより抑制し、強度をより向上させることができる。
【００２０】
以上、実施の形態を挙げて本考案を説明したが、本考案は上記実施の形態に限定されるものではなく、種々変形可能である。例えば、上記実施の形態では、かご補強材１０の構成について具体的に説明したが、全ての構成要素を備えていなくてもよく、更に他の構成要素を備えていてもよい。
【産業上の利用可能性】
【００２１】
かごマット工などにおいて、かごの中に石材を詰める際に用いることができる。
【符号の説明】
【００２２】
１０…かご補強材、１１…枠、１１Ａ，１１Ｂ，１１Ｃ，１１Ｄ…辺、１２…補強部、１３…係止部、１３Ａ…載置部、１３Ｂ…折曲部、１４…補助部材、１４Ａ…棒、１４Ｂ…取付部、１４Ｃ…開放端、１４Ｄ…挿入部、１４Ｅ…貫通孔、１４Ｆ…ボルト、１４Ｇ…ナット、１５…板状部材、１５Ａ…取付部、２０…かご、２１…かご本体
【図１】
0003160069.tif 000003
【図２】
0003160069.tif 000004
【図３】
0003160069.tif 000005